(57)【要約】【課題】従来のリング式綴じ具とレバーアーチ式リング綴じ具の利点のみを活かせるように工夫することで、使い勝手がよく、作業性に優れた書類等の綴じ具を提供する。【解決手段】  ベース部と、ベース部に設けられ、書類等を綴じ込む閉リング姿勢と書類等を綴じ入れるために閉リングの一部を開放する開リング姿勢に変化し得るリングと、ベース部に設けられ、閉リング姿勢と開リング姿勢とを切り替えるための切替機構と、を備え、切替機構は、ベース部に揺動可能に取り付けられた切替レバーと、当該切替レバーの回動位置によってリングの開閉度を調整するカム部とを含み、リングが開リング姿勢にあるとき、リングの開放部分を切替レバーが通過可能に設定されており、切替機構には、カム部に接触して押し下げられ、リングを閉リング姿勢に保持する隆起部を設けている。【選択図】図１０
2010173329.tif 000002
【特許請求の範囲】
【請求項１】
ベース部と、
前記ベース部に設けられ、書類等を綴じ込む閉リング姿勢と書類等を綴じ入れるために閉リングの一部を開放する開リング姿勢に変化し得るリングと、
前記ベース部に設けられ、前記閉リング姿勢と開リング姿勢とを切り替えるための切替機構と、を備え、
前記切替機構は、
前記ベース部に並べて配置され、当該ベース部の長さ方向と直交する側方へ傾斜可能な板状の二つの支持部材と、
前記二つの支持部材の傾斜量を調整するため、前記二つの支持部材の少なくとも一方と当接するカム部と、
前記カム部の回動量を調整するための操作部とを有し、
前記二つの支持部材は、一方の側辺部と他方の側辺部とを有し、一方の側辺部が前記ベース部にそれぞれヒンジ結合され、他方の側辺部どうしが部分的に上下に重ねられており、
前記二つの支持部材の少なくとも一方の前記カム部と当接する箇所には、
当該二つの支持部材が傾斜することにより前記リングが前記閉リング姿勢から前記開リング姿勢へと変化することを規制する隆起部を有する、書類等の綴じ具。
【請求項２】
前記操作部には、前記ベース部に回動可能に取り付けられた切替レバーを含み、
前記カム部は、前記切替レバーの回動位置によって前記リングの開閉度を調整し、前記リングが開リング姿勢にあるとき、当該リングの開放部分を前記切替レバーが通過可能に設定されており、
前記隆起部は、
前記カム部に接触して押し下げられ、前記リングを前記閉リング姿勢に保持する、請求項１記載の書類等の綴じ具。
【請求項３】
前記隆起部は、
前記切替レバーの直下に設けられている、請求項１又は請求項２記載の書類等の綴じ具。
【請求項４】
前記リングは、先端どうしの接触により閉リング姿勢となり、先端どうしの離間により開リング姿勢となる第１リング部材及び第２リング部材を有しており、
前記支持部材は、
一方の前記支持部材に前記第１リング部材及び前記第２リング部材の一方の基端が固定されて支持され、他方の前記支持部材に前記第１リング部材及び前記第２リング部材の他方の基端が固定されて支持されているとともに、
当該支持部材はそれぞれ前記ベース部の長さ方向に延びるように形成されており、
前記隆起部は、
二つの前記支持部材の少なくとも一方の長さ方向の略中央部に設けられている、請求項１〜３のいずれか１項に記載の書類等の綴じ具。
【請求項５】
前記二つの支持部材の一方は、
他方の前記支持部材側に張り出し、当該他方の支持部材と重なるように設定された張出部を備え、
前記隆起部は、
前記張出部に設けられることで、並べて配置された前記二つの支持部材の幅方向の略中央部に設けられている、請求項１〜４のいずれか１項に記載の書類等の綴じ具。
【請求項６】
前記隆起部は、
前記支持部材の長さ方向に沿って、幅が広い幅広部と、幅が狭い幅狭部とを有する略三角形状に形成されている、請求項１〜５のいずれか１項に記載の書類等の綴じ具。
【発明の詳細な説明】
【技術分野】
【０００１】
本発明は、書類等を綴じ込むために、リング部材で開閉可能に構成したリングを切替レバーによって開閉操作する綴じ具の技術に関する。
【背景技術】
【０００２】
バインダー等の表紙体の内面には、複数のリング部材を備えた綴じ具が固定されている。この綴じ具は、手でこじ開ける、いわゆるてこ無しのリング式綴じ具や、レバー操作によってリングを開く、レバーアーチ式綴じ具などが従来から広く知られている。
【０００３】
リング式綴じ具としては、例えば、金属板からなる帯板状のベース部と、このベース部に設けられた複数のリング部材で構成される二つのリングとを備えている。二つのリングを構成する各リング部材のうち、片側のリング部材は、ベース部に対して回動可能に構成されている。これにより、各リングを、書類等を綴じ込む閉リング姿勢と、閉リングの一部を開放する開リング姿勢に変化させることができる。
【０００４】
レバーアーチ式綴じ具としては、例えば特許文献１に記載されている。同文献に記載の綴じ具は、金属板からなる帯板状のベース部と、このベース部に設けられた複数のリング部材で構成される二つのリングと、各リングを閉リング姿勢と開リング姿勢に変化させる操作レバー付きの開閉機構とを備えている。二つのリングを構成する各リング部材のうち、片側のリング部材はベース部に対して回動可能に構成されていて、操作レバーを押し下げる操作によってリングを開閉させることができる。
【特許文献１】実開昭５７−２４０７７号公報
【０００５】
このような従来の綴じ具において、リング式綴じ具は、構成がシンプルで、安価に製作できる点で優れている。レバーアーチ式綴じ具は、レバーの操作によってリングを開閉できるため、使い勝手が良い点で優れている。
【発明の概要】
【発明が解決しようとする課題】
【０００６】
しかしながら、こうした従来の綴じ具は、次のような点で解決すべき課題がある。
（１）リング式綴じ具は、リングを開放する際にリング部材自体を手でこじ開けるようにして行う必要があるため、操作性（使い勝手）が悪い。さらに、リングを綴じるときにリング部材の先端間に手指を挟まないように気をつける必要があり、この点からも使い勝手が悪い。
（２）レバーアーチ式綴じ具は、開閉機構が大型で、二つのリング間の中央部分に位置し、そこから延びるレバーが開状態においてリング近傍に突出するため、書類等を綴じたり取り出したりする際に邪魔になるだけでなく、一度にたくさんの書類を出し入れできない。
（３）特許文献１に記載のように、片側のリング部材をベース部に対して回動可能に構成したものでは、リングの開度が小さく、しかもその開放部分が片側に偏るため書類等を綴じたり取り出したりする際の作業性が悪い。
【０００７】
よって、本発明の課題は、従来のリング式綴じ具とレバーアーチ式リング綴じ具の利点のみを活かせるように工夫することで、使い勝手がよく、作業性に優れた書類等の綴じ具を提供することにある。
【課題を解決するための手段】
【０００８】
前記課題を解決するため、本発明では以下の手段を採用した。
本発明に係る書類等の綴じ具は、ベース部と、ベース部に設けられ、書類等を綴じ込む閉リング姿勢と書類等を綴じ入れるために閉リングの一部を開放する開リング姿勢に変化し得るリングと、
ベース部に設けられ、閉リング姿勢と開リング姿勢とを切り替えるための切替機構とを備える。
【０００９】
切替機構は、ベース部に並べて配置され、当該ベース部の長さ方向と直交する側方へ傾斜可能な板状の二つの支持部材と、二つの支持部材の傾斜量を調整するため、二つの支持部材の少なくとも一方と当接するカム部と、カム部の回動量を調整するための操作部とを有する。
【００１０】
二つの支持部材は、一方の側辺部と他方の側辺部とを有し、一方の側辺部がベース部にそれぞれヒンジ結合され、他方の側辺部どうしが部分的に上下に重ねられている。
二つの支持部材の少なくとも一方のカム部と当接する箇所には、当該二つの支持部材が傾斜することによりリングが閉リング姿勢から開リング姿勢へと変化することを規制する隆起部を有する。
【００１１】
操作部には、ベース部に回動可能に取り付けられた切替レバーを含むことが望ましい。
カム部は、切替レバーの回動位置によってリングの開閉度を調整し、リングが開リング姿勢にあるとき、当該リングの開放部分を前記切替レバーが通過可能に設定されていることが望ましい。
本発明によれば、リングが開リング姿勢にあるとき、リングの開放部分を切替レバーが通過可能に設定されている。これにより、リングが開リング姿勢にあるときでも、切替レバーの自由端を、リングの外側へ通過させて待避状態にしておくことが可能になる。したがって、書類等を抜き差しする作業時においても切替レバーが邪魔になる位置にこないよ
うにすることで、左右どちらのリングにおいても書類等が差し替え可能となり、作業性を格段に向上させることができる。
【００１２】
隆起部は、カム部に接触して押し下げられ、リングを閉リング姿勢に保持するようにしているとことが望ましい。
【００１３】
隆起部は、切替レバーの直下に設けられていることが望ましい。
【００１４】
リングは、先端どうしの接触により閉リング姿勢となり、先端どうしの離間により開リング姿勢となる第１リング部材及び第２リング部材を有していることが望ましい。
支持部材は、一方の支持部材に第１リング部材及び第２リング部材の一方の基端が固定されて支持され、他方の支持部材に第１リング部材及び第２リング部材の他方の基端が固定されて支持されているとともに、当該支持部材はそれぞれベース部の長さ方向に延びるように形成されていることが望ましい。
隆起部は、二つの支持部材の少なくとも一方の長さ方向の略中央部に設けられていることが望ましい。
【００１５】
二つの支持部材の一方は、他方の支持部材側に張り出し、当該他方の支持部材と重なるように設定された張出部を備えることが望ましい。
隆起部は、張出部に設けられることで、並べて配置された二つの支持部材の幅方向の略中央部に設けられていることが望ましい。
【００１６】
隆起部は、支持部材の長さ方向に沿って、幅が広い幅広部と、幅が狭い幅狭部とを有する略三角形状に形成されていることが望ましい。
【００１７】
本発明の書類等の綴じ具によれば、リング式綴じ具とレバーアーチ式リング綴じ具の利点のみを活かせるように工夫したので、使い勝手がよく、作業性に優れた綴じ具が得られる。
【図面の簡単な説明】
【００１８】
【図１】本発明の第１実施形態に係る綴じ具の全体斜視図である。
【図２】は本発明の第１実施形態に係る綴じ具の作用を説明する図で、（ａ）は正面図、（ｂ）は側面図である。
【図３】は本発明の第１実施形態に係る綴じ具の作用を説明する図で、（ａ）は正面図、（ｂ）は側面図である。
【図４】本発明の第１実施形態に係る綴じ具の作用を説明する図で、（ａ）は正面図、（ｂ）は側面図である。
【図５】本発明の第１実施形態に係る綴じ具の作用を説明する図で、（ａ）は正面図、（ｂ）は側面図である。
【図６】本発明の第１実施形態に係る綴じ具のベース部を示す図で、（ａ）は平面図、（ｂ）は側面図である。
【図７】（ａ）、（ｂ）（ｃ）は図６（ａ）のａ−ａ線断面図、ｂ−ｂ線断面図、ｃ−ｃ線断面図である。
【図８】本発明の第１実施形態に係る綴じ具の切替レバーを示す図で、（ａ）は平面図、（ｂ）は側面図、（ｃ）は底面図である。
【図９】本発明の第１実施形態に係る綴じ具の支持部材を示す図で、（ａ）は平面図、（ｂ）は正面図である。
【図１０】本発明の第１実施形態に係る綴じ具のベース部を示す図で、（ａ）は平面図、（ｂ）は正面図である。
【図１１】本発明の第１実施形態に係る綴じ具の板バネを示す図で、（ａ）は平面図、（ｂ）は断面図である。
【図１２】本発明の第１実施形態に係る綴じ具の組み立て手順を示す図で、（ａ）は平面図、（ｂ）は部分断面図である。
【図１３】本発明の第１実施形態に係る綴じ具の組み立て手順を示す図で、（ａ）は平面図、（ｂ）は部分断面図である。
【図１４】本発明の第１実施形態に係る綴じ具の組み立て手順を示す図で、（ａ）は平面図、（ｂ）は部分断面図である。
【図１５】本発明の第１実施形態に係る綴じ具の組み立て手順を示す図で、（ａ）は平面図、（ｂ）は部分断面図である。
【図１６】本発明の第１実施形態に係る綴じ具の組み立て手順を示す図で、（ａ）は平面図、（ｂ）は部分断面図である。
【図１７】本発明の第１実施形態に係る綴じ具の組み立て手順を示す図で、（ａ）は平面図、（ｂ）は部分断面図である。
【図１８】本発明の第２実施形態に係る綴じ具の全体斜視図である。
【図１９】本発明の第２実施形態に係る綴じ具を示す図で、（ａ）は分解斜視図、（ｂ）はカム部と当て板の歯のかみ合いを示す部分側面図である。
【発明を実施するための形態】
【００１９】
以下、本発明の好適な実施の形態について、図面を参照して説明する。
【００２０】
（第１実施形態）
この実施形態の綴じ具１は、ベース部（ベースプレート）２と、ベース部２にその長手方向（長さ方向）に間隔をおいて設けられた二つのリング３、３と、切替レバー４を含む切替機構５とを備えている。二つのリング３は、図１及び図２に示すように書類等を綴じ込む閉リング姿勢と、図５に示すように書類等を綴じ入れるために閉リングの一部を開放する開リング姿勢に変化することができる。
【００２１】
切替機構５は、ベース部２に設けられ、リング３、３をその閉リング姿勢と開リング姿勢とに切り替えるためのものである。この切替機構５は、ベース部２に揺動可能（回動可能）に取り付けられた切替レバー４を含む。そして、リング３、３が開リング姿勢にあるとき、図３に示すようにリング３、３の開放部分を切替レバー４が通過可能に設計されている。
【００２２】
次に、各図を参照しこれらの詳細について説明する。
ベース部２は、図１及び図６に示すように、金属板で形成されたベース本体２１と、ベース本体２１の中央部を上から覆う形態でベース本体２１から立ち上がったカバー部分２２と、そのカバー部分２２に設けられた軸受け部２３とを有している。ベース本体２１は、帯板状に長く形成され、その両端近くには、例えばバインダーの表紙体の内面にビスやリベット等で固定するための固定孔２４がそれぞれ設けられている。
【００２３】
カバー部分２２は、図１及び図６に示すように、ベース本体２１の短手方向（幅方向）の両側から立ち上がり、途中で屈曲した後、ベース本体２１の幅方向中央部で向き合うように形成されている。軸受け部２３は二つのリング３、３間の中央部に配置され、切替レバー４のヒンジの一部を構成している。即ち、カバー部分２２には、互いに間隔をおいて向き合う起立片２５、２５が設けられ、その中央部にヒンジピン２６を差し渡すピン孔２５ａ、２５ａ（図６参照）がそれぞれ設けられている。起立片２５、２５は切替機構５の高さを抑えるために低く形成されている。
【００２４】
ベース本体２１の幅方向両側には、後述する支持部材５１、５２を揺動（傾斜）可能に支持する支持片２７、２７が立ち上げられている。各支持片２７はベース部２１の長さ方向に間隔をおいて２箇所、合計４箇所設けられている。これらの支持片２７には、ベース本体２１の幅方向に貫通するスリット２７ａがそれぞれ設けられている。各スリット２７ａはベース本体１の長さ方向に延びている。
【００２５】
ベース本体２１とカバー部分２２及び軸受け部２３を、一枚の金属板の加工により形成している理由は、部品点数を少なくし、全体構成を簡素化することができるからである。
さらに、ベース本体２１上の作動部をカバー部分２２で覆う構成とすることで、外観の向上や安全性の向上等も併せて図れるようにするためである。
【００２６】
各リング３は、先端３０どうしの接触により閉リング姿勢となり、先端３０どうしの離間により開リング姿勢となる第１リング部材３１及び第２リング部材３２をそれぞれ有している。そして、切替機構５は、各リング部材３１、３２の先端３０どうしが互いに接近及び離間する方向に作動可能に構成されている。これにより、先端３０どうしの最大離間距離であるリング３の開度（開放部分Ｋの間隔）を大きくして、書類等の抜き差し時の作業性を向上させることができるように配慮している。
【００２７】
各リング部材３１、３２は、正面から見てほぼ左右対称に形成されている。したがって、各リング部材３１、３２の先端３０どうしが離間したときに形成されるリングの開放部分Ｋ（図５参照）は、ベース部２上であってベース部（ベース本体）２の幅方向中央部分に位置している。これにより、切替レバー４の回動位置に対するリング３、３の開閉タイミングを設定し易い構成としている。即ち、切替レバー４の回動角度とリング３、３の開閉角度との関係を設計し易い構成としている。その理由は次の通りである。
【００２８】
両リング部材３１、３２を左右対称に形成することで、リングの開放部分Ｋをベース部２の幅方向中央部分に正確に位置させることができる。一方、切り替えレバー４もベース部２の幅方向中央部分に位置してベース部２の長さ方向に沿って回動する。したがって、切替レバー４の回動軌跡上にリングの開放部分Ｋの中心を正確に位置させることができる。これにより、リング部材３１、３２の先端どうしが離間しはじめた初期の段階（開放部分Ｋの間隔が小さい段階）からでも切替レバー４はその開放部分Ｋを通過することができる。原理的には、開放部分Ｋの間隔が切替レバー４の直径よりも僅かに大きければ、切替レバー４は通過可能となる。
【００２９】
切替レバー４は、ベース部２にヒンジ結合された基端部４１と、操作用の自由端４２とを有し、基端部４１には、自由端４２の回動位置によって各リング３の開閉度を調整するカム部４３が設けられている。このように、切替レバー４の操作のみで、各リング３の開閉度を調整可能にすることで、切替レバー４の操作角度とリング３の開閉角度との関係を調整自由に設定することができる。したがって、左右対称のリング部材３１、３２に限らずさまざまな形状のリングにも対応可能にすることができる。
【００３０】
切替レバー４自体は曲げ加工した金属棒により形成されているが、その基端部４１にはカム部材４４が固定され、そのカム部材４４にカム部４３が形成されている。カム部材４４はポリアセタール樹脂で形成されている。カム部材４４にはヒンジピン２６を通す軸孔４５が設けられている。したがって、切替レバー４の基端部に固定されたカム部材４４が軸ピン２６を介して軸受け部２３にヒンジ結合されている。
【００３１】
切替機構５は、ベース本体２１上に並べて配置され、それぞれがベース本体２１の長さ方向と直交する側方へ傾斜可能な二つの支持部材（ブーストプレート）５１、５２を有している。そして、一方の支持部材５１に第１リング部材３１の基端が固定されて支持され、他方の支持部材５２に第２リング部材３２の基端が固定されて支持されている。支持部材５１、５２はそれぞれベース本体２１の長さ方向に延びるように形成されている。したがって、支持部材５１及び５２の長さ方向両端近くに第１リング部材３１、３１及び第２リング部材３２、３２がそれぞれ固定されている。
【００３２】
各支持部材５１、５２は、金属板により帯板状に形成されて一方の側辺部と他方の側辺部をそれぞれ有する。各支持部材５１、５２の一方の側辺部がベース部２にそれぞれヒンジ結合され、他方の側辺部どうしが部分的にベース部２のベース本体２１上で上下に重ね
られている。
【００３３】
各支持部材５１、５２も、それぞれ一枚の金属板の加工により形成されたもので、図９及び図１０に示すように、平面視において、ほぼ左右対称に形成されている。但し、後述するラップ部分がある点で両者の形状は若干相違する。
【００３４】
即ち、綴じ具１を正面から見て、支持部材５１の左側辺部と、支持部材５２の右側辺部には、ベース本体２１から立ち上がった各支持片２７、２７のスリット２７ａ、２７ａにそれぞれ挿入されるフック片５１ａ、５２ａが設けられている。フック片５１ａは支持部材５１の幅方向外側（左側）へ突出した後、支持部材５１の長さ方向（手前側）へ延びている。フック片５２ａは、支持部材５１の幅方向外側（右側）へ突出した後、支持部材５１の長さ方向（手前側）へ延びている。これにより、両支持部材５１、５２は、対応する支持片２７、２７にそれぞれ揺動可能にかつ仮係合状態で支持されている。
【００３５】
さらに、左側の支持部材５１と右側の支持部材５２は互いに上下に重なるラップ部分を有している。実施の形態では、右側の支持部材５２の他方の側辺部に突出片５２ｂ、５２ｃが間隔をおいて４つ形成されている。左側の支持部材５１の一方の側辺部には、支持部材５２の突出片５２ｂ、５２ｃとそれぞれ対向する位置に、２つの突出片５１ｂと、２つの突出片受け部５１ｃが間隔をおいて形成されている。そして、支持部材５１の２つの突出片５１ｂの上に、それらに対向する支持部材５２の突出片５２ｂがそれぞれ重ねられている。さらに、支持部材５１の２つの突出片受け部５１ｃの下に、それらに対向する支持部材５２の突出片５２ｃがそれぞれ重ねられている。
【００３６】
両支持部材５１、５２のうち、右側の支持部材５２とベース本体２１との間には、リング部材３１、３２の先端３０どうしが離間する方向へ支持部材５２を附勢する板バネ（弾性体）５５が設けられている。これは、板バネ５５を一方の支持部材５２に対してのみ設ければ良いため、その分、構成の簡素化を図ることができるからである。さらに、切替レバー４を操作するだけで、二つの支持部材５１、５２を同時に作動させてリング３を閉リング姿勢及び開リング姿勢に変化させることができるように配慮している。
【００３７】
板バネ５５は、図１１に示すように、ベース本体２１上に位置決めされる平板部５６を有する。板バネ５５は平板部５６から立ち上がり内側へ曲げ形成されている。平板部５６の四隅には係合片５７がそれぞれ設けられている。これらの係合片５７は、ベース部２に設けられた凸形状のスリット部２８に引っ掛けられて位置決めされる。
【００３８】
図１２〜図１７は、切替機構５部分の組み立て工程図を示したものである。
まず、図１２の仮想線でに示すように、ベース部２のカバー部分２２を半曲げ状態にしておく。この状態で、板バネ５５をベース本体２１上にセットする。
【００３９】
次に、図１３に示すように、右側の支持部材５２をベース部２にセットする。この作業では、支持部材５２のフック片５２ａ、５２ａをカバー部分２２の立ち上がり部に設けてあるスリット２７ａ、２７ａに差し込み、次いで、図１４に示すように、手前にスライドさせる。これにより、フック片５２ａがスリット２７ａから抜け出ない形態になり、仮ヒンジのような機能を持つ構成となる。その際、支持部材５２は板バネ５５によって下から附勢される。したがって、フック片５２ａを設けてある側辺部と反対側の側辺部が、フック片５２を中心として上方へ回動（傾斜）する。
【００４０】
次に、図１５及び図１６に示すように、右側の支持部材５２のセットと同様の要領で、左側の支持部材５１をベース部２にセットする。その際、支持部材５１のフック片５１ａが設けられている側辺部と反対側の側辺部の２つの突出片受け部５１ｃ、５１ｃが、先に
セットした支持部材５２の対向する突出片５２ｃ、５２ｃの上に重なるようにセットする。さらに、支持部材５１の２つの突出片５１ｂ、５１ｂが、支持部材５２の対向する突出片５２ｂ、５２ｂの下に重なるようにセットする。このセット作業を終えた状態では、図１６に示すように、２つの支持部材５１、５２の側辺部が１つの板バネ５５によって上方へ持ち上げられるように附勢される。この力によって、リング３、３は、開リング姿勢を維持することができる。
【００４１】
次に、図１７に実線で示すように、両側のカバー部分２２、２２をその定位置まで曲げ加工する。その後、切替レバー４のカム部材４４を、起立片２５、２５間に位置させ、ヒンジピン２６を差し込み、かしめ等により抜け止め加工する。これにより、切り替えレバー４はベース部２にヒンジ結合される。
【００４２】
支持部材５２には隆起部５２ｄが設けられている。この隆起部５２ｄは切替レバー４のカム部４３の直下に位置している。そして、切替レバー４が図１に示すように一側に回動した綴じ位置にあるとき、そのカム部４３が上側に位置する隆起部５２ｄに接触して押し下げ、リング３、３を閉リング姿勢に保持するように設定されている。
【００４３】
また、図１に示す切替レバー４の綴じ位置から、切替レバー４を矢印方向に回動させたとき、切替レバー４がリング３に突き当たる前に、リング３が開リング姿勢へ徐々に移行して切替レバー４の通過を許容するように設定されている。
【００４４】
この実施の形態によれば、切替レバー４を操作するだけで、二つの支持部材５１、５２を同時に作動させてリング３、３を閉リング姿勢及び開リング姿勢に変化させることができる。そして、リング３、３が開リング姿勢にあるとき、リング３、３の開放部分Ｋを切替レバー４が通過可能に構成されている。これにより、リング３が開リング姿勢にあるときでも、切替レバー４の自由端４２を、図５に示すようにリング３の外側へ通過させて待避状態にしておくことが可能になる。したがって、書類等を抜き差しする作業時においても切替レバー４が邪魔になる位置にこないようにすることができる。
【００４５】
また、リング３、３のそれぞれを、略円弧状の第１リング部材と第２リング部材とで構成しているので、リングの曲げ加工を容易にすることができる。
【００４６】
（第２実施形態）
図１８及び図１９に本発明の第２の実施形態を示している。なお、この第２の実施形態において、第１の実施形態と機能的に共通する部分には同一符号を付して説明を簡略化する。
【００４７】
この実施形態の綴じ具も、ベース部（ベースプレート）２と、ベース部２にその長手方向（長さ方向）に間隔をおいて設けられた二つのリング３、３と、切替レバー４を含む切替機構５とを備えている。二つのリング３は、書類等を綴じ込む閉リング姿勢と、書類等を綴じ入れるために閉リングの一部を開放する開リング姿勢に変化することができる。
【００４８】
切替機構５は、ベース部２に設けられ、リング３、３をその閉リング姿勢と開リング姿勢とを切り替えるためのもので、ベース部２に揺動可能（回動可能）に取り付けられた切替レバー４を含む。そして、リング３、３が開リング姿勢にあるとき、リング３、３の開放部分を切替レバー４が通過可能に構成されている。
【００４９】
この第２実施形態では、ベース部２は、帯板状のベース本体２１と、ベース本体２１の中央部に設けられた軸受け部材２１０とで構成されている。軸受け部材２１０は、図１９（ａ）に示すように、ベース本体２１から切り起こされた係止片２１１を、軸受け部材２
１０の底板２１２上へ折り曲げることで、ベース本体２１に固定されている。この係止片２１１は、後述する押圧部３１２、３２２を下から上方へ持ち上げるように附勢する弾性部材を兼ねている。勿論、別の弾性部材をセットしても良い。軸受け部材２１０は、底板２１２から立ち上がった二つの起立片２１４、２１４を有し、その起立片２１４にピン孔２５ａが設けられている。
【００５０】
また、リング３、３を形成する各リング部材のうち、二つの第１リング部材３１、３１と、二つの第２リング部材３２、３２は、それぞれ一本の金属線を曲げ加工することで形成されている。即ち、二つの第１リング部材３１、３１の連続部３１１と、二つの第２リング部材３２、３２の連続部３２１が第１実施形態における支持部材を兼ねた構成としている。連続部３１１、３２１にはベース本体２１上の中央部で近接しかつ平行に延びる押圧部３１２、３２２が形成されている。
【００５１】
押圧部３１２、３２２上には当て板２２０が配置されている。当て板２２０はその上面に噛み合い用の歯２２１を有するいわゆるラック状に形成されている。この当て板２２０は押圧部３１２、３２２に沿って移動可能に構成されている。切替レバー４の基端側に固定されたカム部材４４は、当て板２２０の歯２２１と噛み合う歯４４１を周面の一部に有するいわゆるピニオン状に形成されている。そして、図１９（ｂ）に示すように、当て板２２０の歯２２１に対してカム部材４４の歯４４１が噛み合う形態で、切替レバー４がヒンジピン２６を介して軸受け部材２１０にヒンジ結合されている。なお、当て板２２０の歯２２１とカム部材４４の歯４４１は、前記係止片２１１の附勢力により、押圧部３１２、３２２を介して常に噛み合うようになっている。
【００５２】
カム部材４４のカム面（歯４４１がある部分）の輪郭は、切替レバー４の自由端４２が図示のように閉じ位置にあるとき当て板２２０を最大限に押し下げ、切替レバー４がリング３に突き当たる前に当て板２２０の押し下げ量を徐々に少なくしてリング３の開放動作を開始させ、切替レバー４がリング３の開放部分を通過した時点で当て板２２０の押し下げを開放することができる輪郭に形成されている。これにより、切替レバー４を回動させると、当て板２２０を介して押圧部３１２、３２２を押し下げたり、押し下げを開放したりすることができる。
【００５３】
第１リング部材３１、３１どうしの連続部３１１には、第１リング部材の回転中心となる支点部分３１３が間隔をおいて二つ形成されている。これらの支点部分３１３は、ベース本体２１の幅方向一側に形成された屈曲部２１５によって回転可能に保持されている。また、第２リング部材３２、３２どうしの連続部３２１には、第２リング部材３２の回転中心となる支点部分３２３が間隔をおいて二つ形成されている。これらの支点部分３２３は、ベース本体２１の幅方向他側に形成された屈曲部２１６によって回転可能に保持されている。
【００５４】
この第２実施形態においても、基本的には先の第１実施形態と同様の効果を奏する。ただ、この第２実施形態では、第１実施形態の綴じ具よりも、ベースプレートの面積を小さく、かつ部品点数を少なくすることができる点、低単価で製作できる点、リング部材の剛性が高い点、などで優れている。
【００５５】
カム部材４４が当て板２２０を介して押圧部３１２、３２２を押す構造としているが、カム部で直接押圧部３１２、３２２を押圧して駆動させてもよい。このようにすると部品点数をより少なくすることができる。
【００５６】
各実施形態において、リング３を全体として矩形状としたのは、開状態で第１及び第２のリング部材３１、３２がそれぞれ略コ字状となり、書類等を綴じ込む際にコ字状の略垂
直な中間辺部まで書類等を綴じ込むと、それ以上の書類等の綴じ込みが難しくなり、これによって過剰な書類等の綴じ込みを防止するためである。
【００５７】
なお、以上の実施形態では、リング３を構成する二つのリング部材３１、３２を左右対称に形成したが、リングの開放部分Ｋを切替レバー４が通過可能であれば、リング部材３１、３２を必ずしも左右対称に形成する必要はない。例えば、リングを正面から見てＤ形状としたものにも適用することができる。ただし、その場合でも、Ｄ形状リングの中央部から両側に開く構成とすることが望ましい。
【００５８】
また、本発明の技術思想を考慮した場合、リングの開放部分Ｋを切替レバー４が通過可能であれば良い。したがって、開放部分Ｋはリングの中央部から両側に開く構成に限らず、多少偏心した位置（左右何れかに偏った位置）から両側に開く構成とすることもできる。その際、偏った開放部分Ｋの位置に合わせて、切替レバー自体を屈曲させても良い。また、片側のリング部材のみを動かして片側に開く構成とすることもできる。その際、切替レバー４の取付位置を偏らせても良い。このような考え方は、左右対称でないリングを採用する際に有効である。
【００５９】
なお、この実施例では切替レバー４をピン２６の両端の二箇所（二つの起立片２１４、２１４）で支持したが、（ピン２６の）一箇所で支持しても良い。
【産業上の利用可能性】
【００６０】
本発明は、書類等を綴じるバインダーなどに利用できる。
【図１】
2010173329.tif 000003
【図２】
2010173329.tif 000004
【図３】
2010173329.tif 000005
【図４】
2010173329.tif 000006
【図５】
2010173329.tif 000007
【図６】
2010173329.tif 000008
【図７】
2010173329.tif 000009
【図８】
2010173329.tif 000010
【図９】
2010173329.tif 000011
【図１０】
2010173329.tif 000012
【図１１】
2010173329.tif 000013
【図１２】
2010173329.tif 000014
【図１３】
2010173329.tif 000015
【図１４】
2010173329.tif 000016
【図１５】
2010173329.tif 000017
【図１６】
2010173329.tif 000018
【図１７】
2010173329.tif 000019
【図１８】
2010173329.tif 000020
【図１９】
2010173329.tif 000021